(57)【要約】【課題】荷重の積載及びその変更を容易に行うことのできる救命艇作動試験時における積載荷重付与方法及び積載荷重付与装置を提供する。【解決手段】重量可変ウェイト１０は、水タンク１１と、該水タンク１１から排水し得る排水管１２とによって構成され、水タンク１０に所定量の水を収容することで所定の重量となってこれを荷重として付与でき、荷重は、水タンク１０に収容した水の量を変化させることで調節できるようになっている。【選択図】　　　　　　　図１
2004017915.tif 000002
【特許請求の範囲】
【請求項１】
船舶の救命艇の作動試験時において、
前記救命艇に所定容量の貯水容器を搭載し、前記貯水容器に収容した水の量を調節することで重量を変化させて当該重量の荷重を付与した作動試験を行うことを特徴とする救命艇作動試験時における積載荷重付与方法。
【請求項２】
船舶の救命艇の作動試験時に荷重を付与するものであって、
所定容量の水を収容可能な貯水容器に、一端が前記貯水容器の内底部に開口すると共に他端が少なくとも前記貯水容器の上面と下面の間を移動し得る排水管部材を備えて構成されていることを特徴とする救命艇作動試験時における積載荷重付与装置。
【請求項３】
上記貯水容器は、可撓性を有する素材によって形成され、空時には折り畳んで小型化し得るように構成されていることを特徴とする請求項２に記載の救命艇作動試験時における積載荷重付与装置。
【発明の詳細な説明】
【０００１】
【発明の属する技術分野】
本発明は、船舶の舷側に格納された救命艇の作動試験時に、荷重を付与する積載荷重付与方法及び積載荷重付与装置に関する。
【０００２】
【従来の技術】
船舶が海難時において乗員脱出のために備える救命艇は、舷側甲板上の格納位置に格納され、進水装置によって海上に降下されるようになっている。
【０００３】
進水装置は、例えば、救命艇を揺動可能な支持アームから垂下された吊り下げロープによって支持し、その支持した救命艇を支持アームの揺動によって格納位置から海上位置に移動し得ると共に、吊り下げロープの繰り出しによって海上に降下し得るように構成される。
【０００４】
ところで、このような救命艇の進水装置では、緊急時における円滑確実な作動を保証するために、定員が乗船した定格荷重，空荷，所定量の超過荷重での作動試験を行わなければならない。
【０００５】
作動試験は、図４に示すように、救命艇１′に所定重量のウェイト２０を多数積載することで所定の荷重を付与して行われる。即ち、まず救命艇１′に所定の超過荷重となるようにウェイト２０を積載して超過荷重における作動試験を行った後、定格荷重となるようにいくつかのウェイト２０を降ろして定格荷重による作動試験を行い、更に、全てのウェイト２０を降ろして空荷（無荷重）による作動試験を行う。
【０００６】
【発明が解決しようとする課題】
しかしながら、荷重調節をウェイトの積み降ろしによって行う上記従来のごとき作動試験は、ウェイトの積み降ろしは作業者の手作業にて行われ、作業に重労働を強いると共に時間を要し、極めて面倒なものであった。
【０００７】
本発明は、上記問題に鑑みてなされたものであって、荷重の積載及びその変更を容易に行うことのできる救命艇作動試験時における積載荷重付与方法及び積載荷重付与装置を提供することを目的とする。
【０００８】
【課題を解決するための手段】
上記目的を達成する本発明に係る救命艇作動試験時における積載荷重付与方法は、船舶の救命艇の作動試験時において、前記救命艇に所定容量の貯水容器を搭載し、前記貯水容器に収容した水の量を調節することで重量を変化させて当該重量の荷重を付与した作動試験を行うことを特徴とする。
【０００９】
また、救命艇作動試験時における積載荷重付与装置は、船舶の救命艇の作動試験時に荷重を付与するものであって、所定容量の水を収容可能な貯水容器に、一端が前記貯水容器の内底部に開口すると共に他端が少なくとも前記貯水容器の上面と下面の間を移動し得る排水管部材を備えて構成されていることを特徴とする。
【００１０】
更に、上記貯水容器は、可撓性を有する素材によって形成され、空時には折り畳んで小型化し得るように構成されていることを特徴とする。
【００１１】
【発明の実施の形態】
以下、添付図面を参照して本発明の実施の形態について説明する。
図１（Ａ）は本発明に係る積載荷重付与方法に用いる積載荷重付与装置の一構成例である重量可変ウェイトの外形概念斜視図であり、図２はその救命艇への積載状態を示す断面図である。
【００１２】
図示重量可変ウェイト１０は、貯水容器としての所定容量の水タンク１１と、該水タンク１１から少なくとも排水し得る排水管部材としての排水管１２とによって構成されている。
【００１３】
水タンク１１は、柔軟な樹脂等によって可撓性を有する直方体状に形成されており、上面所定位置に排水管１２の挿入口１１Ａが開口形成されている。
【００１４】
排水管１２は、所定径の管であって、柔軟な樹脂等によって可撓性を有して形成され、その基端部１２Ａが水タンク１１に挿入口１１Ａから挿置されている。基端開口部は、図１（Ｂ）に示すように水タンク１１の内底部に達し得るようになっており、周面には吸入スリット１２Ｂが形成され、このスリット１２Ｂを介して水タンク１１内の水を底部まで吸水し得るようになっている。その長さは、図２に示すように水タンク１１が救命艇１に搭載された状態でその搭乗口１Ａを介して他端が外部に導出され、少なくともその先端開口部が水タンク１１の上面より高く位置し得ると共に水タンク１１の下面より低く位置し得るように設定されている。
【００１５】
上記のごとき構成の重量可変ウェイト１０は、図２に示すように、救命艇１に搭載され、水タンク１０に所定量の水を収容することで所定の重量となってこれを荷重として付与できる。荷重は、水タンク１０に収容した水の量を変化させることで調節できる。即ち、（Ａ）に示すように、水タンク１０に水を充満させることで最大荷重を作用させることができ、この時、排水管１２はその先端開口部が水タンク１１の上面（水面）より高い位置とされて水の排出を防ぐ。この状態から（Ｂ）に示すように排水管１２の先端開口部を水タンク１１の水面より低くすることで、サイフォンの原理によって排水管１２を介して水タンク１１から排水することができ、その量を調節することで任意の重量（荷重）に設定できる。水タンク１１は内部の水を全て排出して空にすれば、その可撓性によってコンパクトに折り畳んで取り出すことができる。尚、重量可変ウェイト１０の救命艇１への搭載は、これとは逆に折り畳んだ水タンク１１を搭載して水を充填することで行うものである。
【００１６】
上記重量可変ウェイト１０を用い、図３に示すように積載荷重を付与（積載荷重の変更）して救命艇１の作動試験をすることができる。即ち、まず、（Ａ）に示すように救命艇１に重量可変ウェイト１０を所定数搭載してそれらの水タンク１１に水を充満させて、その総重量が所定の超過荷重となるように設定し、超過荷重における作動試験を行う。その後、（Ｂ）に示すようにその重量が定格荷重となるように水タンク１１から排水して、定格荷重による作動試験を行い、更に、（Ｃ）水タンク１１内の全ての水を排出して空荷（無荷重）による作動試験を行う。このようにして作動試験終了した後、（Ｄ）に示すように空の重量可変ウェイト１０を搬出するものである。
【００１７】
これにより、作業者の手作業によるウェイトの積み下ろしを要することなく、荷重積載及びその変更を極めて容易に行うことができるものである。
【００１８】
尚、本発明は上記構成例に限定されるものではなく、貯水容器の形状や排水管１２の配設構造等適宜変更可能なものである。
【００１９】
【発明の効果】
以上述べたように、本発明による救命艇作動試験時における積載荷重付与方法によれば、救命艇に所定容量の貯水容器を搭載し、貯水容器に収容した水の量を調節することで重量を変化させて当該重量の荷重を付与した作動試験を行うことにより、作業者の手作業によるウェイトの積み下ろしを要することなく、荷重積載及びその変更を極めて容易に行うことができるものである。
【００２０】
また、救命艇作動試験時における積載荷重付与装置として、所定容量の水を収容可能な貯水容器に、一端が貯水容器の内底部に開口すると共に他端が少なくとも貯水容器の上面と下面の間を移動し得る排水管部材を備えて構成されていることにより、収容した水を動力を用いることなくサイフォンの原理によって排出して重量を変更することができ、このような積載荷重付与装置を用いることによって、作業者の手作業によるウェイトの積み下ろしを要することなく、荷重積載及びその変更を極めて容易に行うことができるものである。
【００２１】
更に、上記貯水容器は、可撓性を有する素材によって形成され、空時には折り畳んで小型化し得るように構成されていることにより、搭載や取り出しが極めて容易に行えると共に、収納場所も必要としないものである。
【図面の簡単な説明】
【図１】図１（Ａ）は本発明に係る積載荷重付与方法に用いる積載荷重付与装置の一構成例である重量可変ウェイトの外形概念斜視図，（Ｂ）は排水管の基端部を示す拡大図である。
【図２】救命艇への積載状態を示す断面図である。
【図３】救命艇の作動試験時における重量可変ウェイトを用いた積載荷重付与の説明図である。
【図４】従来例としての積載荷重付与方法を示す概念図である。
【符号の説明】
１　救命艇
１０　重量可変ウェイト（積載荷重付与装置）
１１　水タンク（貯水容器）
１２　排水管（排水管部材）
【図１】
2004017915.tif 000003
【図２】
2004017915.tif 000004
【図３】
2004017915.tif 000005
【図４】
2004017915.tif 000006